(57)【要約】【課題】隅部のゴミを掻き出して確実に捕集することができる清掃用シートを提供すること。【解決手段】清掃用具２の装着部２０に装着されて使用される清掃用シートである。装着部２０に装着されたときに装着部２０の底面側に配される拭き取り部分１Ａに、装着部２０の前後端部より長さＭ突出する突出部１０、１１を有している。突出部１０、１１は、突出部１０、１１をその突出方向と逆方向にＭ／３変形させたときに０．１〜１００Ｎ／ｃｍの反発力を有している。また、突出部１０の先端部は尖形状に設けられていることが好ましい。【選択図】  図１
2004208940.tif 000002
【特許請求の範囲】
【請求項１】
清掃用具の装着部に装着されて使用される清掃用シートであって、
前記装着部に装着されたときに該装着部の底面側に配される拭き取り部分に、該装着部よりも外側に突出長さＭで突出する突出部を有しており、該突出部は、該突出部をその突出方向と逆方向にＭ／３変形させたときに０．１〜１００Ｎ／ｃｍの反発力を有している清掃用シート。
【請求項２】
基材シートと該基材シートの表面に配された拭き取りシートとからなり、該拭き取りシートの縁辺部が前記突出部の形状に対応した形状に設けられている請求項１記載の清掃用シート。
【発明の詳細な説明】
【０００１】
【発明の属する技術分野】
本発明は、主として清掃用具に装着されて使用され、ハウスダスト等のゴミを捕集する使い捨ての清掃用シートに関する。
【０００２】
【従来の技術及び発明が解決しようとする課題】
建物内の調度品、壁、床、車内の装備品などの清掃対象物の表面を清掃するための清掃用具が各種提案されている。それらの中でも柄の先端部の装着部に、不繊布等で製造された清掃用シートを装着して使用するものがある。
【０００３】
しかし、斯かる清掃用具の装着部は、清掃対象物の表面に傷を付けないように、外縁部に弾力性のある材質のものが使用されている。また、これに装着されるシートも、柔らかい不織布等であるため、通常の拭き取り操作で部屋の隅部に溜まった髪の毛、綿埃、土埃等のゴミを十分に捕集することが困難な場合が多かった。
【０００４】
斯かる課題を解決する手段として、下記特許文献１の技術のように、清掃用シートを装着部の端部から突出させて該突出部でゴミを捕集するものが提案されているが、単に清掃用シートを突出させているだけなので、捕集効果が充分に得られるものではなかった。
【０００５】
【特許文献１】
登録実用新案第３９２７３８１号公報
【０００６】
従って、本発明の目的は、隅部のゴミを確実に捕集することができる清掃用シートを提供することにある。
【０００７】
【課題を解決するための手段】
本発明者らは、清掃用シートによる隅部のゴミの捕集性について検討した結果、清掃用シートを装着部に装着したときに、当該装着部の底面側に配される拭き取り部分の縁辺部の形状及び反発力が重要であることを知見し、本発明を完成するに至った。
【０００８】
本発明は、上記知見に基づきなされたものであり、清掃用具の装着部に装着されて使用される清掃用シートであって、前記装着部に装着されたときに該装着部の底面側に配される拭き取り部分に、該装着部よりも外側に突出長さＭで突出する突出部を有しており、該突出部は、該突出部をその突出方向と逆方向にＭ／３変形させたときに０．１〜１００Ｎ／ｃｍの反発力を有している清掃用シートを提供するものである。
【０００９】
【発明の実施の形態】
以下本発明を、その好ましい実施形態に基づき図面を参照しながら説明する。
【００１０】
図１及び図２は、本発明の清掃用シートの一実施形態を示すものであり、図２は、該清掃用シートが清掃用具の装着部に装着された状態を示している。これらの図において、符号１は清掃用シート、２は清掃用具を示している。また、図１に示す一点鎖線は装着部（２０）を示している。
【００１１】
図１に示すように、清掃用シート１は、平面視して略矩形に設けられており、図２に示すような清掃用具２の板状の装着部２０に装着されたときに、装着部２０の底面側に配される拭き取り部分１Ａと、拭き取り部分１Ａの両側に位置し、装着部２０の上面側において当該装着部２０に固定される取付部分１Ｂとを有している。
【００１２】
清掃用シート１の寸法形状は特に制限はないが、掃除用具１の装着部２０の底面部の寸法（長さ、幅）を基準として、長さＬ、幅Ｗ１ともに該寸法の±３０％のものが好ましい。清掃用具２の装着部２０の面積が広くなれば、清掃用シート１の拭き取り部分１Ａも面積が広くなる。一般的な家庭用に適用する場合には、長さＬが１７０〜３４０ｍｍ、拭き取り部分１Ａの幅Ｗ２が７０〜２３０ｍｍであることが好ましい。また、拭き取り部分１Ａの面積は、１２０〜７８０ｃｍ２であることが好ましい。
【００１３】
清掃用シート１は、装着部２０の前後端部よりも外側に突出する突出部１０、１１を有している。突出部１０、１１は、それぞれ、これらをその突出方向と逆方向に１／３変形させたときに０．１〜１００Ｎ／ｃｍ、好ましくは０．２〜５０Ｎ／ｃｍ、より好ましくは０．３〜１０Ｎ／ｃｍの反発力を有している。突出部１０、１１の反発力が０．１未満であると清掃圧力が小さくなり、掻き取りが困難であり、十分な清掃効果が得られない。１００Ｎ／ｃｍを超えると清掃対象物に傷を付けるおそれがある。
【００１４】
ここで、清掃用シートにおける突出部の反発力は、拭き取り部分における突出部のみを突出させるように、清掃用具の装着部に対応する寸法形状のプレートで清掃用シートを挟持した状態で、ＡＩＫＯＨ  ＥＮＧＩＮＥＥＲＩＮＧ  ＣＯＲＰ製「ＣＰＵ  ＧＡＵＧＥ  ９５００  ＳＥＲＩＥＳ  ＲＡＴＥＤ  ＣＡＰＡＣＩＴＹ  ２ｋｇｆ、ＡＴＹＰＥ」を用い、その１０ｍｍ幅の端子で、突出部が突出方向と逆方向に三分の一変形するようにその縁辺部側から当該突出部を押し込んだときに測定される値（反発力：単位Ｎ）であり、該端子の幅（１ｃｍ）当たりの値である。
【００１５】
突出部１０、１１は、装着部２０の端部（本実施形態では前後端部）からの突出長さＭが１〜５０ｍｍ、特に３〜３０ｍｍとなるように突出させることが好ましい。突出長さが短すぎると掻き取り機能が十分に発揮できないほか、拭き取り部分１Ａの面積が狭くなり、ゴミの捕集量が少なくなる場合がある。突出長さＭが長すぎると、前記反発力が小さくなり、突出部１０、１１による清掃効果が低くなる場合がある。
【００１６】
清掃用シート１では、突出部１０の縁辺部は直線状に設けられており、突出部１１の縁辺部は連続する山形状に設けられている。山形の尖形部分の数（山の数）は、その山の幅、山間のピッチ等の形状に応じて増減させることができる。
【００１７】
本実施形態の清掃用シート１は、図１に示すように、具体的には、基材シート１２と、基材シート１２の表面の略中央に接着固定された拭き取りシート１３とから構成されている。そして、拭き取りシート１３の前後の縁辺部が、前記突出部１０、１１に対応した形状に設けられている。
【００１８】
基材シート１２の形状、材質は、装着部２０に装着できるものであれば特に制限はないが、装着部２０への装着性、清掃用シート１の保持性、剛性等を考慮すると布（不織布、織布）、紙、合成樹脂混抄紙、弾性体、合成樹脂フィルム粘着シート等が好ましい。特に拭き取り部分１Ａに対応する部分の表面に粘着層を有するものを用いることで、拭き取りシート１３を接着固定することができる。
【００１９】
基材シート１２の坪量は、操作性、加工性、剛性、柔軟性の点から５〜１００ｇ／ｍ２であることが好ましい。また、基材シート１２の厚さは、操作性、加工性、剛性、柔軟性等の点から０．００５〜３ｍｍであることが好ましい。
【００２０】
拭き取りシート１３は、従来からゴミを繊維に絡めたり吸着して捕集する清掃用シートに用いられているものを特に制限なく用いることができる。拭き取りシート１２には、紙（合成樹脂混抄紙を含む。）、布（織布、不織布）、フィルム、繊維等のパイル等の他、例えば、特開平７−１８４８１５号公報の明細書の段落〔０００８〕〜〔００１８〕に記載の清掃用シートを用いることができる。また、拭き取りシート１３は、鉱物油、合成油、シリコーン油等の油剤成分や界面活性剤を１種類以上含んだ液剤を担持させ、該液剤の吸着力でゴミを繊維に吸着させるものを用いることもできる。
【００２１】
拭き取りシート１３の坪量は、操作性、加工性、剛性、柔軟性の点から２０〜４００ｇ／ｍ２であることが好ましい。また、拭き取りシート１３の厚さは、操作性、加工性、剛性、柔軟性等の点から０．５〜１０ｍｍであることが好ましい。
【００２２】
前記拭き取りシート１３の縁辺部における突出部１０、１１に対応する部分に前記反発力を付与する方法に特に制限はないが、例えば、厚みを持たせたり、エンボス加工や成形加工などによって凹凸を施したり、坪量を大きくしたり、拭き取りシート１３の突出部分に対応させて等の別の素材を上面側に積層させて補強したりすることによって、前記反発力を付与することができる。このようにして突出部１０、１１に反発力を付与することで、当該突出部１０、１１の下面側部分におけるゴミの捕集能力を損わずに、掻き取り機能を備えることができる。
【００２３】
清掃用シート１は、装着部２０に装着し、通常の拭き取り操作で、拭き取り部分１Ａの繊維に髪の毛、綿埃、土埃等のゴミを絡めたり吸着させたりして捕集することができる。特に、突出部１０、１１に所望の反発力を有しているため、装着部２０の縁部に弾力性のある部材が用いられていても、拭き取りシート１３の下面側部分の捕集能力を損なうことなく、部屋の隅部等に溜まったゴミを当該突出部１０、１１で掻き取ってから捕集することができる。また、突出部１０、１１がそれぞれ異なる形状に設けられているので、隅部の形状に対応したほうを選択してゴミの掻き取りを行うことができる。
【００２４】
図３〜図７は、本発明の他の実施形態を示すものである。これらの図において、前記清掃用シート１と共通する部分については同一符号を付し、その説明は省略する。従って、特に説明のない部分については、前記清掃用シート１における説明が適宜適用される。
【００２５】
図３に示す実施形態の清掃用シート１’は、拭き取りシートのみで構成されたものである。清掃用シート１’は、拭き取りシート１３を装着部２０の端部（図３では前後端部）から突出させて所定長さでループ状に折り返し、ヒートシール、接着剤、縫製等の手段で固定して前記突出長さＭ及び前記反発力を有するひだ状の突出部１０が設けられたものである。本実施形態では、突出部１０は、拭き取り部分１Ａが一面（表面又は裏面）側にのみ折り返されて設けられている。この実施形態の清掃用シート１’では、前記清掃用シート１と同様の効果が得られるほか、部材コストや製造コストの低減を図ることができる。また、折り返す長さによって容易に反発力を調整することができる。
【００２６】
図４（ａ）及び（ｂ）及び図５（ａ）及び（ｂ）に示す清掃用シート１’は、突出部の形態を変更したものである。図４（ａ）及び（ｂ）に示す清掃用シート１’は、、突出部の形態を、幅方向中央部から左右に斜めに傾斜するくさび状の縁辺部を有する形態としたものである。また、図５（ａ）及び（ｂ）に示す清掃用シート１’は、突出部の形態を、台形や矩形等の多角形や、半楕円形状に断続的に突出する形態としたものである。これらの清掃用シート１’でも、前記清掃用シート１と同様の効果を得ることができ、清掃箇所に応じてこれら突出部の形態を選択して使用することができる。
【００２７】
図６に示す実施形態の清掃用シート１’は、装着部２０の左右方向（シートの長さＬ方向）の両方に突出する突出部１０を有する形態としたものである。この実施形態の清掃用シート１’でも、前記清掃用シート１の同様の効果を得ることができる。
【００２８】
図７及び図８に示す実施形態の清掃用シート１’は、突出部１０の前後方向の縁辺部から清掃用具２の装着部２０の固定手段２０ａに対応して延出する取付部分１Ｂを有する形態としたものである。この実施形態の清掃用シート１’によれば、清掃用シート１と同様の効果の他、基材シートを大幅に省くことができ、製造コストを低く抑えることができるほか、両面を同じように使用することができる。
【００２９】
本発明は、前記各実施形態の清掃用シートに何等制限されるものではなく、本発明の趣旨を逸脱しない範囲において適宜変更することができる。
【００３０】
本発明の清掃用シートは、前記各実施形態の清掃用シート１のように、基材シート１２の表面に拭き取りシート１３を固定して積層した形態とすることが好ましいが、基材シート１２の両面に拭き取りシート１３を固定することで、両面使用が可能な形態とすることもできる。
【００３１】
また、前記実施形態の清掃用シート１のように、前後方向の両方に突出する突出部を有する形態とすることが好ましいが、前後方向の片側にのみ有する形態とすることもできる。また、左右方向の一方向にのみ突出部を有する形態とすることもできる。さらに、前後方向又は左右方向の両方に突出する形態とすることもできる。
【００３２】
また、突出部の形態は、前記反発力が得られる範囲内において適宜変更することができる。
例えば、図３に示す実施形態の清掃用シート１’のように拭き取りシート１３の左右方向に亘って設けられた形態以外に、図９に示すような左右方向に所定間隔おいてスリット１００を入れたり、所定の形状（例えば山形や矩形状）に切り欠いて断続な形態の突出部を設けることもできる。また、図１０に示すように拭き取りシート１３の折り返した部分を左右方向沿って切断し、突出方向に開口した形態の突出部１０を設けることもできる。これら断続的な形態と開口した形態とを組み合わせることもできる。また、必要に応じて、複数回折り返した複数のひだ状の形態、左右方向にのみ突出する形態、或いは前後左右両方向に突出する形態の突出部を設けることもできる。
【００３３】
また、ひだ状の突出部を設ける場合の折り返し方法も特に制限されるものではなく、例えば、図１１（ａ）に示すように拭き取りシート１３を表面側及び裏面側にそれぞれ折り返して突出部１０を設け、シートを反転使用とすることもできる。また、複数回折り返す場合には、同図（ｂ）に示すように、拭き取りシート１３を一面側にのみ繰り返し折り返して突出部１０を設けることもできるし、同図（ｃ）に示すように、拭き取りシート１３を表面及び裏面側に折り返して突出部１０を設けることもできる。
【００３４】
また、基材シートへの拭き取りシートの固定方法も特に制限はなく、前記実施形態の清掃用シート１のような接着による以外に、ヒートシール、縫製等の方法が挙げられる。
【００３５】
また、清掃用シートの取付部分の形態、材質も、特に制限はなく、清掃用具の装着部の形態に応じて適宜変更することができる。
【００３６】
【発明の効果】
本発明によれば、隅部のゴミを掻き出して確実に捕集することができる清掃用シートが提供される。
【図面の簡単な説明】
【図１】本発明の清掃用シートの一実施形態を模式的に示す平面図である。
【図２】前記実施形態の清掃用シートを清掃用具の装着部に装着した状態で模式的に示す斜視図である。
【図３】本発明の清掃用シートの他の実施形態を清掃用具の装着部に装着した状態で模式的に示す斜視図である。
【図４】図４（ａ）及び（ｂ）は、本発明の清掃用シートによる他の実施形態を模式的に示す平面図（図１相当図）である。
【図５】図５（ａ）及び（ｂ）は、本発明の清掃用シートによる他の実施形態を模式的に示す平面図（図１相当図）である。
【図６】本発明の清掃用シートによる他の実施形態を模式的に示す平面図（図１相当図）である。
【図７】本発明の清掃用シートによる他の実施形態を模式的に示す平面図（図１相当図）である。
【図８】本発明の清掃用シートの他の実施形態を清掃用具の装着部に装着した状態で模式的に示す斜視図である。
【図９】本発明の清掃用シートの他の実施形態を清掃用具の装着部に装着した状態で模式的に示す斜視図である。
【図１０】本発明の清掃用シートの他の実施形態を清掃用具の装着部に装着した状態で模式的に示す斜視図である。
【図１１】本発明の清掃用シートにおいて、突出部を拭き取りシートの折り返しによって設ける場合の折り返し方法を模式的に示す図であり、（ａ）は拭き取りシートの表裏側にそれぞれ折り返す方法を示す図、（ｂ）は拭き取りシートを一面側にのみ折り返して複数のひだ状の形態を有する突出部を設ける折り返し方法を示す図、（ｃ）は拭き取りシートを表裏両側に折り返して複数のひだ状の形態を有する突出部を設ける折り返し方法を示す図である。
【符号の説明】
１、１’  清掃用シート
１Ａ  拭き取り部分
１Ｂ  取付部分
１０、１１  突出部
１２  基材シート
１３  拭き取りシート
２  清掃用具
２０  装着部
【図１】
2004208940.tif 000003
【図２】
2004208940.tif 000004
【図３】
2004208940.tif 000005
【図４】
2004208940.tif 000006
【図５】
2004208940.tif 000007
【図６】
2004208940.tif 000008
【図７】
2004208940.tif 000009
【図８】
2004208940.tif 000010
【図９】
2004208940.tif 000011
【図１０】
2004208940.tif 000012
【図１１】
2004208940.tif 000013